(57)【要約】      （修正有）【課題】部品実装ラインにおける不良原因の特定をより速やかに、かつ正確に行えるようにする。【解決手段】はんだ印刷装置、実装装置、リフロー炉及びこれら各装置の各検査装置を備えた部品実装ラインにおいて、実装検査装置には、ＬＣＤモニタと、このモニタの表示制御を行う表示制御部６１３を具備した制御部本体６１とが設けられる。表示制御部６１３は、実装不良が発生した場合には、検査画像、検査結果および検査結果の詳細等の検査関連情報と、その不良部位の実装処理に携わった実装装置や実装処理の各種条件等に関する処理関連情報とをＬＣＤモニタの同一表示画面内に表示させるように構成されている。【選択図】図５
2006228799.tif 000002
【特許請求の範囲】
【請求項１】
処理装置により所定の処理が施された基板を撮像してその画像に基づき当該基板を検査する検査装置の当該検査結果を報知する装置であって、
各種情報を認識可能に出力する出力手段と、
前記検査装置の基板の検査結果を含む検査関連情報と、検査結果に係る基板の前記処理装置における各種処理に関する処理関連情報とを前記出力手段により出力させる出力制御手段とを備えている
ことを特徴とする検査結果報知装置。
【請求項２】
請求項１に記載の検査結果報知装置において、
前記処理装置は、複数の単位処理装置から構成されるものであって、
前記出力制御手段は、前記処理関連情報として前記処理装置を構成する各単位処理装置における処理関連情報を前記出力手段により出力させる
ことを特徴とする検査結果報知装置。
【請求項３】
請求項２に記載の検査結果報知装置において、
前記処理装置は、単位処理装置としてペースト塗布装置、部品実装装置、リフロー装置のうち少なくとも部品実装装置を含む複数の装置から構成され、かつ部品実装装置が、部品吸着用のノズルを具備した複数の実装用ヘッドにより部品供給部の複数のフィーダーから部品を取出して基板上に実装するように構成されるものであって、
前記出力制御手段は、前記検査関連情報として部品の実装不良部位および不良内容を出力させるとともに、前記処理関連情報として前記実装不良部位の部品の実装に携わった前記ノズル、実装用ヘッドおよびフィーダーのうち少なくとも一つに関する情報を出力させる
ことを特徴とする検査結果報知装置。
【請求項４】
請求項１乃至３の何れかに記載の検査結果報知装置において、
前記出力手段はディスプレイ装置からなり、前記出力制御手段は検査関連情報と処理関連情報とを前記ディスプレイ装置の同一表示画面内に表示させる
ことを特徴とする検査結果報知装置。
【請求項５】
請求項１乃至３の何れかに記載の検査結果報知装置において、
前記出力手段はディスプレイ装置とプリンタ装置とからなり、前記出力制御手段は、検査関連情報を前記ディスプレイ装置に表示させる一方で、少なくとも前記処理関連情報をプリンタ装置の記録媒体に記録させる
ことを特徴とする検査結果報知装置。
【請求項６】
請求項１乃至５の何れかに記載の検査結果報知装置において、
前記処理関連情報を出力させるための出力操作手段を有し、
前記出力制御手段は、前記出力操作手段による操作があった場合にのみ処理関連情報を前記出力手段に出力させる
ことを特徴とする検査結果報知装置。
【請求項７】
請求項１乃至６の何れかに記載の検査結果報知装置において、
前記検査装置又は処理装置の少なくとも一方に前記出力手段が設けられていることを特徴とする検査結果報知装置。
【請求項８】
基板に対して所定の処理を施す処理装置と、前記処理が施された基板を撮像してその画像に基づき当該基板を検査する検査装置と、請求項１乃至６の何れかに記載の検査結果報知装置とを備えた実装システムに組込まれる前記検査装置であって、
検査結果報知装置を構成する前記出力手段を備えている
ことを特徴とする検査装置。
【請求項９】
基板に対して所定の処理を施す処理装置と、前記処理が施された基板を撮像してその画像に基づき当該基板を検査する検査装置と、請求項１乃至６の何れかに記載の検査結果報知装置とを備えた実装システムに組込まれる前記処理装置であって、
検査結果報知装置を構成する前記出力手段を備えている
ことを特徴とする処理装置。
【請求項１０】
基板に対して所定の処理を施す処理装置と、前記処理が施された基板を撮像してその画像に基づき当該基板を検査する検査装置と、請求項１乃至７の何れかに記載の検査結果報知装置とを備えた実装システムであって、
前記検査装置による検査結果が所定の不良状態であった場合に前記処理装置による前記処理を停止させるべく前記処理装置を制御する制御手段を備えている
ことを特徴とする実装システム。
【発明の詳細な説明】
【技術分野】
【０００１】
本発明は、回路基板に電子部品を実装する部品実装ラインにおいて基板を検査する基板検査装置における検査結果を報知する装置等に関するものである。
【背景技術】
【０００２】
従来から、はんだ印刷装置（又はディスペンサ）、実装装置、リフロー炉等を一列に配列して生産ライン（部品実装ライン）を構成し、回路基板を搬送しつつこれら各装置を経由させることにより基板上に電子部品を実装することが行われている。
【０００３】
この種の生産ラインでは、上記の装置毎にその下流側に例えば基板を画像認識することにより処理作業（内容）を検査する検査装置を設け、処理不良を検出した場合には、必要に応じてその基板をライン落ちさせるとともに検査結果をフィードバックして次の基板の処理に反映させることが行われている。この場合、ＣＲＴ等のディスプレイに基板上の不良部位と不良内容とを特定可能に表示させることにより、オペレータが速やかに対策を打てるように支援することも行われている（例えば特許文献１）。
【特許文献１】特許第３２１６０３３号公報（特開平８−２９２０１８号公報）
【発明の開示】
【発明が解決しようとする課題】
【０００４】
ところが、特許文献１のものでは、オペレータが基板上の不良部位と不良内容とを速やかに特定し確認することはできるものの、不良原因を速やかに特定できない場合も多い。例えば、部品吸着用の複数のノズルを搭載したヘッドユニットを備え、このヘッドユニットにより多数列のフィーダーから部品を取り出して基板上に実装するように構成された実装装置を用いて部品の実装行うような場合、オペレータは、ディスプレイ上に表示された不良部位を手がかりに当該部位（部品）の実装に関わったノズルとフィーダーを実装プログラムから調べ出し、さらに不良内容に基づいてこれらノズルとフィーダーとの関係から不良原因を特定する必要がある。そのため、不良部位や不良内容を速やかに確認することはできても、実際に不良原因を特定するには、かなりの時間と労力を要する場合が多い。
【０００５】
本発明は上記の事情に鑑みてなされたものであって、部品実装ライン等における不良原因の特定をより速やかに、かつ正確に行えるようにすることを目的としている。
【課題を解決するための手段】
【０００６】
上記課題を解決するために、本発明の検査結果報知装置は、処理装置により所定の処理が施された基板を撮像してその画像に基づき当該基板を検査する検査装置の当該検査結果を報知する装置であって、各種情報を認識可能に出力する出力手段と、前記検査装置の基板の検査結果を含む検査関連情報と、検査結果に係る基板の前記処理装置における各種処理に関する処理関連情報とを前記出力手段により出力させる出力制御手段とを備えているものである（請求項１）。
【０００７】
この装置では、検査装置により基板の検査が行われると、その結果を含む検査関連情報に加えてその基板の処理に関する処理関連情報が出力手段により出力される。そのため、処理不良が発生した場合、オペレータは、検査結果（検査関連情報）を確認した上で、処理関連情報を手がかりに不良原因を解析することが可能となる。換言すれば、処理関連情報に基づいて不良原因と関連性のある箇所にオペレータを速やかに誘導することが可能となる。なお、ここで検査関連情報とは、検査画像（検査に用いられた画像）、不良部位、不良内容、検査の基準値、測定値等の検査に関する情報であり、一方、処理関連情報とは、処理装置の各種設定条件（パラメータ）、交換パーツがある場合にはその基板（検査結果に係る基板）の処理に用いられたパーツ、処理に用いられる消耗品（材料）の種類等に関する情報を意味するものである。
【０００８】
この装置において、前記処理装置が複数の単位処理装置から構成される場合、前記出力制御手段は、処理関連情報として前記処理装置を構成する各単位処理装置における処理関連情報を前記出力手段により出力させるように構成されているのが好ましい（請求項２）。
【０００９】
この構成によると、出力制御手段により各単位処理装置における処理関連情報が出力される。そのため、オペレータは、基板の処理に携わった各単位処理装置における処理関連情報を手がかりに不良原因を解析することが可能となる。
【００１０】
より具体的な構成として、例えば、前記処理装置が、単位処理装置としてペースト塗布装置、部品実装装置、リフロー装置のうち少なくとも部品実装装置を含む複数の装置から構成され、かつ部品実装装置が、部品吸着用のノズルを具備した複数の実装用ヘッドにより部品供給部の複数のフィーダーから部品を取出して基板上に実装するように構成される場合には、前記出力制御手段は、前記検査関連情報として部品の実装不良部位および不良内容を出力させるとともに、前記処理関連情報として前記実装不良部位の部品の実装に携わった前記ノズル、実装用ヘッドおよびフィーダーのうち少なくとも一つに関する情報を出力させるように構成することができる（請求項３）。
【００１１】
この装置によると、出力制御手段により、実装不良部位および不良内容が出力されるとともに、実装不良部位の実装処理に携わったノズル、実装ヘッドあるいはフィーダーが出力される。そのため、オペレータは、実装不良が発生した場合に、その不良原因へのアクセスを済みやかに行うことが可能となる。すなわち、上記のような構成の部品実装装置で発生する実装不良の原因の多くはノズル、実装用ヘッド、フィーダーにあり、上記の構成によると、オペレータは当該不良部位の実装に携わったノズル、実装ヘッドあるいはフィーダーを直ちに特定することが可能となり、その分、すなわち実装プログラム等を調べてノズルを特定する必要がない分、速やかに不良原因にアクセスすることが可能となる。
【００１２】
上記の各装置において、前記出力手段はディスプレイ装置からなり、前記出力制御手段は検査関連情報と処理関連情報とを前記ディスプレイ装置の同一表示画面内に表示させるものであるのが好ましい（請求項４）。
【００１３】
この構成によると、出力制御手段により両情報がディスプレイ装置の同一表示画面内に表示される。そのため、オペレータは、検査装置における検査結果（検査関連情報）と処理関連情報とを同一の表示画面内で確認しながら不良原因を解析することが可能となり、不良原因の解析作業を効率的に進めることが可能となる。
【００１４】
また、前記出力手段はディスプレイ装置とプリンタ装置とからなり、前記出力制御手段は、検査関連情報を前記ディスプレイ装置に表示させる一方で、少なくとも前記処理関連情報をプリンタ装置の記録媒体に記録させるものであってもよい（請求項５）。
【００１５】
この構成によると、ディスプレイ装置に検査関連情報が表示され、またプリンタ装置により処理関連情報が記録された記録媒体が出力される。そのため、ディスプレイ装置と処理装置とが離れているような場合でも、ディスプレイ装置の表示を確認した上で、処理関連情報が出力された記録媒体をオペレータが携帯、確認しながら処理装置に向かって作業を行うことが可能となる。
【００１６】
なお、上記装置は、前記処理関連情報を出力させるための出力操作手段を有し、この出力操作手段による操作があった場合にのみ処理関連情報を前記出力手段に出力させるように出力制御手段が構成されているものであってもよい（請求項６）。
【００１７】
この構成によると、出力操作手段の操作があった場合にのみ処理関連情報が表示される。そのため、不良が発生していない場合や、検査関連情報のみから不良原因を十分に特定できるような場合にまで処理関連情報が出力されるといった繁雑さを解消することが可能となる。
【００１８】
また、上記装置においては、前記検査装置又は処理装置の少なくとも一方に前記出力手段が設けられているものであるのが好ましい（請求項７）。
【００１９】
例えば、実装装置や検査装置から離間した場所に管理装置を設け、ここから各装置を沿革で制御するような場合には、この管理装置に出力手段を設けるようにしてもよいが、上記の検査装置又は処理装置に出力手段を設ける構成によると、部品実装システムの側近で検査関連情報や処理関連情報を参照できるため不良原因の特定作業を効率的に進めることが可能となる。
【００２０】
一方、本発明に係る検査装置は、基板に対して所定の処理を施す処理装置と、処理が施された基板を撮像してその画像に基づき当該基板を検査する検査装置と、請求項１乃至６の何れかに記載の検査結果報知装置とを備えた実装システムに組込まれる前記検査装置であって、検査結果報知装置を構成する前記出力手段を備えているものである（請求項８）。
【００２１】
この検査装置によると、検査関連情報と処理関連情報とを当該検査装置において出力させることが可能となる。そのため、処理不良が発生した場合、オペレータは、検査結果を確認した上で、処理関連情報を手がかりに不良原因を解析することが可能となる。換言すれば、処理関連情報に基づいて不良原因と関連性のある箇所にオペレータを速やかに誘導することが可能となる。
【００２２】
また、本発明に係る処理装置は、基板に対して所定の処理を施す処理装置と、処理が施された基板を撮像してその画像に基づき当該基板を検査する検査装置と、請求項１乃至６の何れかに記載の検査結果報知装置とを備えた実装システムに組込まれる前記処理装置であって、検査結果報知装置を構成する前記出力手段を備えているものである（請求項９）。
【００２３】
この処理装置によると、検査関連情報と処理関連情報とを当該処理装置において出力させることが可能となる。そのため、処理不良が発生した場合、その不良が発生した処理装置において検査結果や処理関連情報を出力させることにより、オペレータは、当該処理関連情報等を参照しつつ速やかに不良原因を特定することが可能となる。
【００２４】
さらに、本発明に係る実装システムは、基板に対して所定の処理を施す処理装置と、前記処理が施された基板を撮像してその画像に基づき当該基板を検査する検査装置と、請求項１乃至７の何れかに記載の検査結果報知装置とを備えた実装システムであって、前記検査装置による検査結果が所定の不良状態であった場合に前記処理装置による前記処理を停止させるべく前記処理装置を制御する制御手段を備えているものである（請求項１０）。
【００２５】
この実装システムでは、検査装置において不良状態が検出されると基板の処理が停止される。そのため、同様の不良状態をもつ不良基板が継続的に生産されるのを効果的に防止することが可能となる。
【発明の効果】
【００２６】
本発明の請求項１〜７に係る検査結果報知装置によると、その結果を含む検査関連情報に加えてその基板の処理に関する処理関連情報が出力手段により出力されるため、処理不良が発生した場合には、オペレータは、処理関連情報を手がかりに不良原因を解析することが可能となる。そのため、例えば基板に部品を実装する部品実装ライン等において単に不良部位や不良内容を確認できるだけの従来のこの種の装置と比べると、不良原因をより速やかに、かつ正確に特定することができるようになる。
【００２７】
また、本発明の請求項８に係る検査装置や請求項９に係る処理装置によると、これら装置自体において検査関連情報や処理関連情報を出力させることができる。そのため、基板の生産ライン等、実装システムの側近で当該情報を取得することができ、その結果、不良原因の特定作業を速やかに進めることができるようになる。
【００２８】
また、本発明の請求項１０に係る実装システムによると、不良基板が継続的に生産されるのを効果的に防止することができる。
【発明を実施するための最良の形態】
【００２９】
本発明の実施の形態について図面を用いて説明する。
【００３０】
図１は、本発明が適用される部品実装ライン（実装システム）を概略的に示している。この生産ラインは、ローダー（図示省略）、はんだ印刷装置（又はディスペンサ）１、印刷検査装置２、２種類の実装装置３Ａ，３Ｂ、実装検査装置４、リフロー炉５、はんだ付検査装置６およびアンローダー（図示省略）を一列に備え、これらを互いにコンベア７で連結した構成となっている。そして、コンベア７により回路基板（以下、単に基板という）を搬送しながら、順次はんだ印刷、部品実装およびリフローの各処理を施すとともに、検査装置２，４，６により各処理後の基板を検査するように構成されている。
【００３１】
各装置１〜６は、それぞれ制御装置が搭載された自律型の装置であって、各装置の動作が各自の制御装置により個別に駆動制御されるようになっている。但し、この部品実装ラインでは、さらに各装置１〜６に対してオンラインで接続される中央管理装置８が設けられており、上記各装置１，３Ａ，３Ｂ，５における生産（処理）に関する各種情報、例えば基板データ、部品データ、印刷および実装位置データ、リフロー温度データ等の種々の情報がこの中央管理装置８内の記憶装置に格納されており、この中央管理装置８と各装置１〜６との間で必要な情報の送受信が行われ得るようになっている。
【００３２】
この生産ラインにおいて、本発明の検査結果報知装置は、実装検査装置４に適用されており、以下、この実装検査装置４の構成について詳細に説明することにする。
【００３３】
図２及び図３は、実装検査装置４の構成を概略的に示しており、図２は同装置４を平面図で、図３は同装置４を正面図でそれぞれ示している。この実装検査装置４は、実装装置３Ａ，３Ｂにおいて実装処理が施された後の基板の実装ポイントを撮像することにより部品の実装状態を画像認識してその良否を判定するものである。
【００３４】
実装検査装置４は、内部が空洞の略直方体形状に形成された基台１０を有している。この基台１０上には基板搬送手段１２が設けられ、検査対象としての基板Ｐがこの基板搬送手段１２の後記コンベアに沿って搬送されるようになっている。なお、当実施形態では、上記コンベアによる基板Ｐの搬送方向（図２で左右方向）をＸ軸方向、水平面上でＸ軸と直交する方向（図２で上下方向）をＹ軸方向という。
【００３５】
基板Ｐは基板搬送手段２のコンベアに沿って装置右側から実装検査装置４に搬入され、基台１０の略中央に設けられた検査作業領域において検査処理に供された後、装置左側から次工程に搬出される（同図中の白抜き矢印方向）。
【００３６】
前記基板搬送手段１２は、それぞれ一対のベルトコンベアを備えたＸ軸方向に並ぶ３つの構成部分からなり、具体的には、基板搬送方向両側の各所定範囲に、ベルトコンベア２０Ａ，２１Ａおよび同２０Ｃ，２１Ｃを備えた搬入・搬出部１２Ａ，１２Ｃを有し、これらの間に、後記テーブル３０上にベルトコンベア２０Ｂ，２１Ｂを備えた可動部１２Ｂを有している。
【００３７】
搬入・搬出部１２Ａ，１２Ｃにおいては、前側のコンベア２０Ａ，２０Ｃが基台１０上に固定的に設けられる一方、後側のコンベア２１Ａ，２１ＣがＹ軸方向に移動可能とされ、図略のモータで駆動されて後側のコンベア２１Ａ，２１Ｃが移動することにより、基板Ｐのサイズに応じたコンベア間隔の調整が可能となっている。
【００３８】
可動部１２Ｂにおいては、Ｙ軸方向に移動可能な後記テーブル３０上に一対のコンベア２０Ｂ，２１Ｂが設けられ、そのうちの前側のコンベア２０Ｂはテーブル３０に対して固定され、後側のコンベア２１Ｂはテーブル３０に対しＹ軸方向に移動可能に支持されている。そして、図外のモータで駆動されて後側のコンベア２１Ｂが移動することにより、コンベア２０Ｂ，２１Ｂの間隔が変化して、基板Ｐのサイズ変更に対応し得るようになっている。
【００３９】
上記テーブル３０は、基台１０上に固定されたＹ軸方向のガイドレール３１に沿って移動可能とされるとともに、基台１０上に回転可能に支持されたＹ軸方向のボールねじ軸３２に螺合するナット部（図示せず）を有し、上記ボールねじ軸３２がモータ３３によって回転駆動されることにより、テーブル３０がガイドレール３１に沿ってＹ軸方向に移動するようになっている。
【００４０】
上記基台１０の台面には門型の支持台３５が立設されている。この支持台３５は基台１０の前後方向（図２における上下方向）における中央部に対してやや後寄りの位置に設けられており、この支持台３５は左右方向の両端部からそれぞれ起立する脚柱部３６と、この脚柱部３６の上端部同士を橋渡す梁部３７とからなっている。
【００４１】
支持台３５の梁部３７には、基板Ｐを撮像するための撮像装置４０と、この撮像装置４０を支持台３５に沿って移動するための駆動装置４２とが設けられている。この駆動装置４２は、支持台３５の梁部３７上に設置されたモータ４４と、このモータ４４の出力軸に連結され且つ左右方向に延びるボールねじ軸４６と、このボールねじ軸４６と平行に梁部３７上に設置された一対のガイドレール４８とを有する。
【００４２】
一方、撮像装置４０は、上記ボールねじ軸４６に螺合装着された支持フレーム５０に支持されている。したがって、撮像装置４０は、上記モータ４４を駆動することにより、支持フレーム５０と一体的に上記ガイドレール４８に沿ってＸ軸方向に移動する。
【００４３】
撮像装置４０は、被写体としての上記基板Ｐを撮像するためのカメラ５２と、基板Ｐを照明するための照明装置５３とを備えている。カメラ５２は、ＣＣＤカメラであり、固体撮像素子が内蔵されたカメラ本体の先端に対物レンズが内蔵されたレンズ部を有した構成となっており、下向きの姿勢で前記支持フレーム５０に固定されている。
【００４４】
以上の構成において、検査作業に際しては、まず基板搬送手段１２の作動により基板Ｐが搬入部１２Ａから可動部１２Ｂへと搬送され、可動部２Ｂの所定位置に基板Ｐが位置決め固定される。このとき、基板搬送手段１２のテーブル３０は、ホームポジション、すなわち可動部２Ｂのコンベア２０Ｂ，２１Ｂと、搬入部２Ａおよび搬出部２Ｃのコンベア２０Ａ，２１Ａ等とが横並びとなる位置（図２に示す位置）にセットされており、これにより可動部１２Ｂに対して基板Ｐの搬入が可能となる。
【００４５】
そして、基板Ｐがテーブル３０に位置決め固定された状態で、モータ３３，４４等が後記制御装置６０により駆動制御されることにより、基板Ｐが固定されたテーブル３０がＹ軸方向に移動し、かつ撮像装置４０がＸ軸方向に移動する。これにより基板Ｐ上における実装ポイントの撮像が行われ、撮像結果に基づいて基板Ｐの検査が行われる。そして、検査が完了すると、テーブル３０がホームポジションにリセットされ、基板Ｐが搬出部１２Ｃを介して次工程（リフロー炉５）へと搬出されることとなる。
【００４６】
図４は、実装検査装置４の制御系をブロック図で示している。
【００４７】
この図に示すように、実装検査装置４は、基板搬送手段１２や撮像装置４０の駆動を制御する制御装置６０を有している。制御装置６０は、制御部本体６１、キーボード（マウスを含む）６８、ＬＣＤモニタ６９（ディスプレイ装置）、モータ制御回路７１、照明制御回路７２，画像処理手段７３および光磁気ディスク等の外部記憶装置６７を備えている。
【００４８】
制御部本体６１は、論理演算を実行する周知のＣＰＵ６２、そのＣＰＵ６２を制御する種々のプログラムなどを予め記憶するＲＯＭ６３、装置動作中に種々のデータを一時的に記憶するＲＡＭ６４、種々のプログラムやＯＳ、さらに後述する各種パラメータ等、検査に必要な各種データを記憶するＨＤＤ６５およびＩ／Ｏコントローラ（ＩＯＣ）６６等を備え、これらＣＰＵ６２等が互いに内部バスにより接続された構成となっている。
【００４９】
ＩＯＣ６６には、前記キーボード６８およびＬＣＤモニタ６９が接続されるとともに、モータ３３，３４等および照明装置５３の各制御回路７１，７２、画像処理手段７３、表示器（警告灯）７４、外部記憶装置６７等が接続されている。そして、キーボード６８により入力される所定の指示情報等に基づくＣＰＵ６２からの指令に従い、各制御回路７１，７２等と制御部本体６１との間の各種制御信号および各種データの入力がこのＩＯＣ６６により制御されることにより、基板搬送手段１２および表示器７４の動作、あるいはＬＣＤモニタ６９の表示等が制御部本体６１により制御されるようになっている。なお、画像処理手段７３は、カメラ５２から出力される画像信号に所定の画像処理を施してその画像データを制御部本体６１に出力するものである。
【００５０】
図示を省略するが制御部本体６１にはさらに上記中央管理装置８が接続されており、これによって中央管理装置８に格納されている上記各種情報が制御部本体６１へ伝送可能にされるとともに、この中央管理装置８を介して、はんだ印刷装置１や実装装置３Ａ，３Ｂから制御部本体６１への各種情報の伝送が可能となっている。なお、はんだ印刷装置１および実装装置３Ａ，３Ｂと制御部本体６１とは、これらが直接接続されることにより各種情報の伝送が可能となっているものであってもよい。
【００５１】
図５は、制御部本体６１に含まれる機能構成をブロック図で概略的に示している。
【００５２】
この図に示すように、制御部本体６１は、主制御部６１１、判定部６１２および表示制御部６１３等を含んでいる。
【００５３】
主制御部２１は、予め記憶されたプログラムに従って所定の検査処理を実行すべく前記制御回路７１，７２を介して前記モータ３３等を統括的に制御するとともに、検査後は、検査結果に応じて表示器７４等を作動させるものである。
【００５４】
判定部６１２は、画像処理手段７３から出力される画像データに基づき部品の実装誤差を求め、この誤差が検査基準値（許容値）内にあるか否かに基づき実装処理の合否を判定するものである。
【００５５】
表示制御部６１３は、予め記憶されているプログラムに従って前記ＬＣＤモニタ６９に所定の画面表示を行うもので、特に、上記判定部６１２において不合格判定がされた場合（実装エラーが発生したと判定された場合）にはその結果を含む所定の検査関連情報を表示するとともに、オペレータのキーボード６８（出力操作手段）の操作による指示入力に応じて当該基板の処理関連情報をＬＣＤモニタ６９の同一表示画面内（つまり検査関連情報と同一表示画面内）に表示させるべく表示制御を行うものである。
【００５６】
図６は、表示制御部６１３の制御に基づくＬＣＤモニタ６９の表示画面（実装エラーが発生した場合の表示画面）の一例を示している。同図に示すように、表示画面８０には、検査関連情報として、検査画像８２（検査に用いられた画像）、検査基準値８４、基板の識別情報８６、検査結果８８および検査結果の詳細８９が表示される。
【００５７】
これらの検査関連情報のうち検査画像８２は、表示画面８０の左上に表示され、その下側に検査基準値８４が表示される。検査画像８２としては、実装不良が発生したポイント（不良部位）を含む一定の範囲が表示され、この画像には不良部位を特定するマーク８３が併せて表示される。図示の例では不良部位を囲む破線のマーク８３が表示されている。なお、不良部位を特定する表示は、破線マーク以外に矢印等のマーク８３であってもよく、また、不良ポイントに特定の着色を施すといった他の表示方法であってもよい。
【００５８】
基板の識別情報８６および検査結果８８は、表示画面８０の上端であって前記検査画像８２の右側に横並びに表示され、検査結果の詳細８９はその下側に表示される。図示の例では、識別情報８６として基板番号（Ｎｏ．２４５）が表示され、検査結果８８として「位置ズレエラー」の表示がされている。検査結果の詳細８９としては、不良部位又は実装部品名の表示とともに不良内容の詳細が表示されるようになっており、図示の例では、実装部品名（Ｃ１）と判定部６１２による演算結果（位置ズレ量）が表示されている。
【００５９】
検査結果の詳細８９の下側には、オペレータの指示入力に応じて処理関連情報、すなわち当該不良部位の実装処理に関する種々の情報（実装情報９０）と同部位のはんだ印刷処理に関する種々の情報（印刷情報９２）が表示される。
【００６０】
例えば、上記実装装置３Ａ，３Ｂは、図示を省略するが、共に部品吸着用のノズルを具備した複数の実装用ヘッドを有し、これら実装用ヘッドにより部品供給部に並設される複数のフィーダーから部品を取出して基板上に実装するように構成されており、従って、上記実装情報９０としては、不良部位の実装処理に携わった実装装置（マウンタ）、ノズル、ヘッドおよびフィーダーの識別情報等が表示される。図６の例では、生産ライン、マウンタ、フィーダー、ヘッドの各識別番号およびノズルタイプ等の情報が表示されている。
【００６１】
さらに、各実装装置３Ａ，３Ｂは、基板に記されるマーク（フィデューシャルマーク）を画像認識し、その認識位置のずれに応じて実装用ヘッド等の駆動量を補正するとともに（フィデューシャルマーク補正）、ノズル（実装用ヘッド）による部品取出し後に、当該部品の画像認識に基づきノズルに対する部品の吸着ズレを求めて実装用ヘッド等の駆動量を補正するように構成されており（部品補正）、従って、上記実装情報９０としてこれらの補正結果も併せて表示される。
【００６２】
一方、はんだ印刷装置１は、スキージをマスクに沿って一定の速度で摺動させることによりはんだをマスク上で拡張させながら基板に塗布するとともに、一定サイクルでスキージやマスクをクリーニングするように構成されており、従って、上記印刷情報９２としては印刷装置、マスクおよびスキージの識別情報、スキージの速度、印刷タイミング等の各情報が表示される。図６の例では、生産ラインの識別番号、スキージ速度および処理タイミング等が表示されている。
【００６３】
なお、実装情報９０や印刷情報９２は、制御部本体６１からの要求に応じてはんだ印刷装置１および実装装置３Ａ，３Ｂからそれぞれ送信されるようになっている。すなわち、各基板には、基板を識別するための識別情報がバーコードやＱＲコードとして記され、この識別情報が撮像装置４０により読み取られるようになっており、判定部６１２において不合格判定があり、かつオペレータのキーボード６８の操作により処理関連情報の表示指示入力があると、実装情報９０等の要求信号が当該基板の識別情報および不良部位を特定する情報と共に制御部本体６１から実装装置３Ａ，３Ｂ等に出力される。そして、この信号出力に応じて、はんだ印刷装置１および実装装置３Ａ，３Ｂにおいて、プログラムおよび履歴データ等から関連する情報が読み出され実装検査装置４（制御部本体６１）に送信されるようになっている。
【００６４】
次に、制御部本体６１によるＬＣＤモニタ６９の表示動作制御の一例について図７のフローチャートに基づいて説明する。
【００６５】
このフローチャートがスタートすると、まずステップＳ１で基板搬送手段１２を駆動し、実装装置３Ａ，３Ｂから搬出された基板を実装検査装置４に搬入する。
【００６６】
そして、撮像装置４０により基板の識別情報（前記基板番号）を撮像、認識した後、当該基板の検査を実行する。具体的には、撮像装置４０およびテーブル３０を駆動することにより基板上の実装ポイントに順次撮像装置４０（カメラ５２）を移動させて当該ポイントを撮像し、その画像に基づいて前記判定部６１２において各実装ポイントの実装誤差を求めるとともに、この誤差が基準値内か否かに基づき実装処理の合否判定を行う（ステップＳ２〜Ｓ４）。
【００６７】
ステップＳ４でＹＥＳと判断した場合には、当該基板を次工程（リフロー炉５）へ搬出した後、実装検査装置４の検査処理動作を終了するか否かを判断し（ステップＳ５，Ｓ６）、ここでＮＯと判断した場合にはステップＳ１に移行して次の基板を搬入し、ＹＥＳと判断した場合には本フローチャートを終了する。
【００６８】
これに対してステップＳ４でＮＯと判断した場合、すなわち実装エラーが発生した場合には、表示器７４および図外のアラームを作動させて実装検査装置４を停止させるとともに、図６に例示したようなエラー画面（検査関連情報のみ）をＬＣＤモニタ６９に表示させる（ステップＳ７）。これに対してオペレータがＬＣＤモニタ６９の画面（検査画像８２や検査結果の詳細８９）を確認し、あるいは基板を目視で確認して当該基板の合否判定を再度行い、その結果がキーボード６８操作により入力されると、当該判定が合格判定か否かを判断する（ステップＳ８，Ｓ９）。ここでＹＥＳと判断した場合には、ステップＳ５に移行して当該基板を次工程に搬出する。
【００６９】
一方、ステップＳ９でＮＯと判断した場合には、ＬＣＤモニタ６９に処理関連情報を表示するか否かの選択画面（例えば「表示要」ＯＲ「表示不要」）を表示させ、この表示に対して、オペレータが「表示要」を選択したか否かを判断する（ステップＳ１０，Ｓ１１）。ここで、ＹＥＳと判断した場合には、ＬＣＤモニタ６９に処理関連情報（実装情報９０、印刷情報９２）を追加表示する（ステップＳ１４）。
【００７０】
次いで、ＬＣＤモニタ６９に措置結果入力画面を表示（例えば追加表示）させ、これに対するオペレータの結果入力を待ってステップＳ６に移行する（ステップＳ１２，Ｓ１３）。措置結果入力画面としては、例えば「マーキング」「ラインアウト」「その他」といったメニュー画面を表示させ、措置内容に応じてオペレータが該当項目を選択するようになっている。なお、「マーキング」「その他」が選択された場合には当該基板を次工程に搬出した後、ステップＳ６に移行する。
【００７１】
なお、ステップＳ１１においてＮＯと判断した場合、すなわちオペレータが「表示不要」を選択したと判断した場合には、ステップＳ１２に移行する。
【００７２】
以上のような実装検査装置４によると、実装エラーが発生した場合には、ＬＣＤモニタ６９に基板の識別情報８６、検査結果８８および検査画像８２等の検査関連情報が表示され、オペレータが要求した場合には（図７のステップＳ１１でＹＥＳの場合）、この検査関連情報に加えて実装情報９０や印刷情報９２といった処理関連情報も同一表示画面内に表示される。そのため、実装不良が発生した場合でも、オペレータは、処理関連情報を手がかりに不良原因を速やかに、かつ正確に解析することができる。換言すれば、処理関連情報に基づき、不良原因と関連性のある箇所にオペレータを速やかに誘導することが可能となる。具体的には、例えば図６の表示例であれば、実装情報９０として、不良部位の実装処理に携わったノズル、実装用ヘッドおよびフィーダー等の識別情報が表示されるため、オペレータは、直ちに当該ノズル等の装着状態等をチャックして不良原因を解析することができる。従って、不良部位を確認した後、いちいちオペレータが実装プログラムや履歴データ等を参照しながら実装処理に用いられたノズル等を特定するという手間が省け、また当該作業においてノズル等の特定を誤るといったミスも防止でき、その結果、不良原因を速やかに、かつ正確に解析することができる。
【００７３】
特に、処理関連情報としては、実装情報９０に加えてその前工程の情報である印刷情報９２も表示されるので、オペレータは実装装置３Ａ，３Ｂでの処理のみならず、はんだ印刷装置１の処理を含めて多面的に不良原因を解析することができる。
【００７４】
従って、単に不良部位や不良内容を確認できるだけの従来のこの種の装置と比べると、実装不良の原因をより速やかに、かつ正確に特定することができ、その結果、実装不良の発生に起因するラインストップ期間を低減させて部品実装ラインの生産性を高めることができるようになる。
【００７５】
なお、上述した実装検査装置４は、本発明に係る検査結果報知装置が適用された実装検査装置４の一例であって、その具体的な構成は、本発明の要旨を逸脱しない範囲で適宜変更可能である。例えば、次のようなものであってもよい。
【００７６】
（１）実施形態では、ＬＣＤモニタ６９に検査関連情報を表示させ、オペレータの要求に応じて（図７のステップＳ１１でＹＥＳの場合）、処理関連情報を表示させるようにしているが、勿論、検査関連情報および処理関連情報の双方を最初から表示させるようにしてもよい。また、処理関連情報は必ずしも検査関連情報と同一表示画面内に表示する必要はなく、例えば検査関連情報と切換えて（すなわち検査関連情報の表示を消してその代わりに）表示させるようにしてもよい。但し、不良原因の解析に際しては、検査画像８２や検査結果の詳細８９を確認しながらオペレータがノズルやフィーダーをチェックする場合も多いため、作業効率を考慮すると、処理関連情報を検査関連情報と同一表示画面内に表示させるのが好ましい。
【００７７】
（２）実施形態では、処理関連情報の出力手段としてＬＣＤモニタ６９を用い、これに処理関連情報を表示させるようにしているが、例えば出力手段としてプリンタを用い、処理関連情報を記録紙（記録媒体）に記録して出力させるようにしてもよい。このような構成によれば、例えばＬＣＤモニタ６９とはんだ印刷装置１および実装装置３Ａ，３Ｂとが離れているような場合には、処理関連情報が記録された記録紙をオペレータが携帯、確認しながらはんだ印刷装置１や実装装置３Ａ，３Ｂ日に向かって不良原因の解析作業を行うことができるため作業性が向上する。この場合、処理関連情報と共に検査関連情報も記録紙に記録して出力させるようにしてもよい。
【００７８】
（３）実施形態では、検査結果情報や処理関連情報を実装検査装置４のＬＣＤモニタ６９に表示させるようにしているが、例えばこれらの情報を中央管理装置８のモニタに表示させることにより、実装不良が発生した場合には検査結果情報や処理関連情報を遠隔で確認できるようにしてもよい。この場合には、実装検査装置４において不合格判定がされた際に、実装検査装置４から中央管理装置８に当該基板に係る検査結果情報を送信するとともに、はんだ印刷装置１及び実装装置３Ａ，３Ｂから中央管理装置８に処理関連情報を送信させるようにすればよい。
【００７９】
（４）実施形態では、本発明を実装検査装置４に適用した例について説明したが、勿論、本発明は、印刷検査装置２やはんだ付検査装置６についても適用可能である。この場合には、印刷検査装置２やはんだ付検査装置６にそれぞれ出力手段としてのＬＣＤモニタを設け、同様にして検査関連情報および処理関連情報を表示するようにすればよい。
【００８０】
なお、処理関連情報としては少なくも検査装置２，４、６の直前の処理装置、すなわち印刷検査装置２の場合にははんだ印刷装置１、実装検査装置４の場合には実装装置３Ａ，３Ｂ、はんだ付検査装置６の場合にはリフロー炉５の処理情報を表示（出力）させればよいが、実施形態のように、さらに前の工程の処理関連情報を表示させるようにすれば不良原因をより多面的に解析することが可能になるというメリットがある。従って、例えば本発明をはんだ付検査装置６に適用する場合には、はんだ印刷装置１、実装装置３Ａ，３Ｂ及びリフロー炉５の全てについての処理関連情報を表示させるようにしてもよい。
【００８１】
（５）はんだ印刷装置（又はディスペンサ）１、実装装置３Ａ，３Ｂ、リフロー炉５にＬＣＤモニタを設けて検査関連情報および処理関連情報を表示させるようにしてもよい。
【００８２】
例えば、上記実施形態の例であれば、実装検査装置４の前工程に該当するはんだ印刷装置１および実装装置３Ａ，３ＢのＬＣＤモニタに検査関連情報等を表示させるようにしてもよい。このようにすれば不良原因となった処理装置の側近で処理関連情報等を参照しながら不良原因の特定作業を行うことができるため、作業性が良く効率的に不良原因を特定することが可能となる。この場合、例えば、基板Ｐのうち重要な実装ポイントに実装不良が発生した場合、あるいは発生した実装不良の内容が基板性能上許容されないレベルのものであるなど、実装検査装置４での基板Ｐの検査結果が所定の不良状態であった場合には、不良発生原因となったはんだ印刷装置１又は実装装置３Ａ，３ＢのＬＣＤモニタにおいて、画面のバックスクリーンを警戒色（例えば赤）とし、かつ画面中央部分に処理関連情報および検査関連情報を表示するようにしてもよい。また、はんだ印刷装置１、実装装置３Ａ，３Ｂおよびリフロー炉５のＬＣＤモニタの画面を点滅させつつ、実装検査装置４において画面のバックスクリーンを警戒色とし、かつ画面中央部分に処理関連情報および検査関連情報を表示するようにしてもよい。この場合、さらに印刷検査装置２やはんだ付検査装置６にＬＣＤモニタをもうけ当該画面を点滅させるようにしてもよい。
【００８３】
さらに、検査装置２，４，６の何れかにおいて基板Ｐの検査結果が所定の不良状態（性能上許容されないレベルの状態）であることが検出された場合には、はんだ印刷装置１、実装装置３Ａ，３Ｂおよびリフロー炉５のうちその不良に関わる装置、あるいは全ての装置１，３Ａ，３Ｂ，５における基板Ｐの処理を停止させるようにしてもよい。この場合、例えば所定の不良状態が検出された検査装置２，４，６の制御装置（制御手段）から対象となる装置１，３Ａ，３Ｂ，５に直接停止命令を送信するように構成してもよいし、あるいは検査装置２，４，６の制御装置からから中央管理装置８を経由して装置１，３Ａ，３Ｂ，５に停止命令を送信するように構成してもよい。なお、装置１，３Ａ，３Ｂ，５の運転を再開する場合、処理不良と無関係の装置装置１，３Ａ，３Ｂ，５において処理が中断されている基板Ｐについては、引き続き残りの処理を続行するようにすればよい。
【図面の簡単な説明】
【００８４】
【図１】本発明が適用される部品実装ラインを示す模式図である。
【図２】実装検査装置を示す平面略図である。
【図３】実装検査装置を示す正面略図である。
【図４】実装検査装置の制御系を示すブロック図である。
【図５】制御部本体の機能構成を示すブロック図である。
【図６】表示制御部によるＬＣＤモニタの表示制御の一例を示す図である。
【図７】制御部本体によるＬＣＤモニタの表示動作制御の一例を示すフローチャートである。
【符号の説明】
【００８５】
１  クリームはんだ印刷装置
２  印刷検査装置
３Ａ，３Ｂ  実装装置
４  実装検査装置
５  リフロー炉
６  はんだ付検査装置
８  中央管理装置
６０  制御装置
６１  制御部本体
６８  キーボード
６９  ＬＣＤモニタ
６１１  主制御部
６１２  判定部
６１３  表示制御部
【図１】
2006228799.tif 000003
【図２】
2006228799.tif 000004
【図３】
2006228799.tif 000005
【図４】
2006228799.tif 000006
【図５】
2006228799.tif 000007
【図６】
2006228799.tif 000008
【図７】
2006228799.tif 000009